(57)【要約】      （修正有）【課題】刃付け角度と研ぎ角度を一定に保って、包丁をみねに向かう方向でのみ研ぐことができる、安価で安全な、包丁研ぎ器を提供する。【解決手段】砥石支持部材１ｂと、スライドフレーム１０と、ホルダ受２０と、研磨される包丁の柄が固定的に取り付けられるホルダ３０とから成る。砥石支持部材はベースフレーム１に固定的に、スライドフレームはベースフレームに、ホルダ受はスライドフレームにそれぞれスライド可能に設ける。ホルダはホルダ受に着脱自在に設ける。ホルダに１５度の角度付きのパッドを介在させて研磨される包丁の柄を取り付けることにより刃付け角度を１５度に保持する。【選択図】図１
2008260095.tif 000002
【特許請求の範囲】
【請求項１】
砥石が取り付けられる砥石支持部材と、該砥石支持部材に対して平行を保って接近する方向と離間する方向とにスライド可能なスライドフレームと、前記砥石支持部材に対して平行方向にスライド可能なホルダ受と、研磨される包丁の柄が固定的に取り付けられるようになっているホルダとからなり、
前記砥石支持部材はベースフレームに固定的に、前記スライドフレームは前記ベースフレームに、そして前記ホルダ受は前記スライドフレームにそれぞれスライド可能に設けられていると共に、前記ホルダは前記ホルダ受に着脱自在に設けられる包丁研ぎ器であって、
前記ホルダに研磨される包丁を、その柄を取り付けて固定すると、前記砥石支持部材に取り付けられる砥石の研磨面と研磨される包丁の刃の面がなす刃付け角度と、前記砥石の長手方向と研磨される包丁の長手方向がなす研ぎ角度は所定の角度になると共に、
前記スライドフレームを所定位置にすると、研磨される包丁の刃渡りの所定位置が前記砥石の研磨面に位置するようになることを特徴とする包丁研ぎ器。
【請求項２】
請求項１に記載の研ぎ器において、前記スライドフレームの両端部には前記ホルダの移動を規制するストッパが設けられていることを特徴とする包丁研ぎ器。
【請求項３】
請求項１または２に記載の研ぎ器において、前記刃付け角度は、前記ホルダにゴム等の高摩擦係数の材質から構成されている所定角度付きのパッドを介在させて研磨される包丁の柄を取り付けることにより、所定角度になることを特徴とする包丁研ぎ器。
【請求項４】
請求項１〜３のいずれかの項に記載の研ぎ器において、前記ホルダ受の上面には複数個のガイド穴が垂直方向に形成され、前記ホルダの下面に設けられている２本のガイドピンが、前記複数個のガイド穴の選択されたガイド穴に挿入されることにより、前記ホルダが前記ホルダ受に取り付けられると共に、前記研ぎ角度が決まることを特徴とする包丁研ぎ器。
【請求項５】
請求項４に記載の研ぎ器において、前記複数個のガイド穴は、平面的に見て正方形の頂点位置に配置された４個のガイド穴で、前記ホルダの２本のガイドピンは、前記正方形の任意の対角線上に位置する２個の前記ガイド穴に挿入され、それによって前記研ぎ角度は実質的に４５度になることを特徴とする包丁研ぎ器。
【請求項６】
請求項４または５に記載の研ぎ器において、前記複数個のガイド穴の所定の穴にはコイルスプリングが設けられ、前記ホルダの下面に設けられている２本のガイドピンは、前記コイルスプリング（２１，２１）に支持されて、前記ホルダが前記ホルダ受から浮き上がるように付勢されていることを特徴とする包丁研ぎ器。
【発明の詳細な説明】
【技術分野】
【０００１】
本発明は、砥石が取り付けられる砥石支持部材と、該砥石支持部材に対して平行を保って接近する方向と離間する方向とにスライド可能なスライドフレームと、前記砥石支持部材に対して平行方向にスライド可能なホルダ受と、研磨される包丁の柄が固定的に取り付けられるようになっているホルダとからなる、包丁研ぎ器に関するものである。
【背景技術】
【０００２】
包丁は、一般の刃物と同様に使用が進むと、購入当初の切れ味は損なわれて、次第に切れにくくなる。このため、包丁は使用頻度に応じて研ぐ必要があり、研ぐことにより、鈍くなってしまったり、刃こぼれした刃先を、再び鋭くすることができる。このように、包丁は適宜研ぐ必要があるので、従来から色々な包丁の研ぎ方が知られている。例えば、手動的に研ぐ方法も機械的に研ぐ方法も知られている。手動的に研ぐ方法は、包丁を手で持って固定された砥石の研磨面に、包丁の刃の面が一定の角度をなすように、包丁の刃先を当てながら包丁を前後にスライドさせて研ぐ方法で、家庭的にも実施されている極普通の研ぎ方である。これに対し、機械的な研ぎ方法は、モータにより回転駆動されている砥石に包丁の刃先を所定の角度で押し当てて研ぐ方法で、やや専門的な研ぎ方である。また、セラミックや金属のヤスリ状の丸棒を、刃先に斜めにこすりつけて手動的に研ぐ方法も知られている。
【０００３】
上記したような、従来の方法によっても、一応は包丁を研ぐことはできる。しかしながら、問題点も認められる。例えば、砥石のみを使って手動で研ぐ場合、次のような点に留意する必要がある。
（１）砥石の研磨面と包丁の刃の面とがなす角度、すなわち刃付け角度を、例えば１５度のように、一定角度に保つこと。
（２）砥石の長手方向と包丁の長手方向とがなす角度、すなわち研ぎ角度を、約４５度の一定角度に保つこと。
（３）包丁をみねの方向にスライドさせるときに力を加えて研ぎ、包丁を元の位置に戻すときは、力を加えずに刃先を浮かせ気味に移動させること。
相当な熟練者であれば、これらに留意して、刃渡りの根本のあごから、先端部の切っ先まで、刃先の断面の角度が一定な、優れた刃先が得られるように研ぐことはできる。しかしながら、熟練度の低い一般の人にとっては、刃付け角度が一定とならず、また研ぎ角度も安定しないので、刃渡り全体にわたって刃先の角度がまちまちとなり、優れた刃先は得られない。
【０００４】
モータにより円盤状の砥石を回転させて機械的に研ぐ方法によると、砥石に当てる包丁を固定できるので、刃付け角度を一定に保つことはできる。したがって、熟練度が低くても、ある程度簡単に研ぐことができる。しかしながら、砥石が高速で回転して包丁が熱を持つので、また研ぎ角度を一定に保つのが難しいので、熟練者が手動で研ぐような優れた刃先は得にくい。さらには、このような機械的な装置は一般に大型で高価でもあり、砥石が回転して危険でもあるので、一般の家庭的な用途には向かない。
【０００５】
セラミックや金属のヤスリ状の丸棒で研ぐ場合も相当の熟練を要する。また、研ぎムラが生じやすく、刃渡り全体に渡って刃先を均一に研ぐことが難しいという問題もある。
【０００６】
そこで、一般の家庭でも使用できるような使い勝手の良い包丁研ぎ器が、例えば特許文献１〜３により提案されている。
【特許文献１】特開２００６−１５４６４号公報
【特許文献２】特開２００４−２８３９２０号公報
【特許文献３】特開平１０−１８０５９８号公報
【０００７】
図７は、特許文献１に記載されている包丁研ぎ器の断面図である。包丁研ぎ器本体１０１には、図面と垂直方向に貫通する、切り込み１０１ａが設けられている。そして、包丁研ぎ器本体１０１の内部には、表面に一様に砥粒が付けられた球体１０２、１０３が、弾性部材１０４、１０４，１０４によって支持されている。包丁を研ぐときには、図７において、包丁を、その長手方向を図面に対して垂直方向に、そして刃先を図面下向きに、みねを図面上向きに向けて、切り込み１０１ａに刃先を差し込む。そうすると、包丁の刃先の一部が、球体１０２，１０３によって挟まれる。この状態で、包丁を図面に対して垂直方向手前に引く。そうすると、刃渡り全体の刃先が、順次球体１０２，１０３に付けられた砥粒よって研磨されて、研ぐことができる。
【０００８】
図８の（ア）は、特許文献２に記載されている包丁研ぎ器を模式的に示す斜視図である。包丁支持本体１１０にはフランジ部１１０ａが設けられ、このフランジ部１１０ａにはガイド１１１が取り付けられている。また、フランジ部１１０ａには包丁留め具１１３が、支柱１１２を介して取り付けられている。包丁Ｈを研ぐときは、まず、包丁Ｈのみねを奥に、そして刃先を手前にして、包丁支持本体１１０と包丁留め具１１３で挟み込むように固定する。その様子が図８の（イ）に示されている。そして、図８の（イ）に示されているように、包丁研ぎ器と包丁Ｈの刃の全体を砥石Ｔの上に載せて、全体をスライドさせて研ぐ。ガイド１１１は、包丁支持本体１１０より下に突き出ているので、砥石Ｔの研磨面とは、ガイド１１１と包丁Ｈの刃先のみが接する。
【０００９】
図９は、特許文献３に記載されている包丁研ぎ器を模式的に示す斜視図である。包丁研ぎ器本体１２０には、包丁を挟む支持具１２１が蝶ネジ１２４により取り付けられている。この本体１２０には、円弧状の溝１２０ａが設けられ、その円弧の中心の位置には中心穴１２０ｂが設けられている。キャスタ１２３が設けられている支持部材は、包丁研ぎ器本体１２０に、ボルトと蝶ネジ１２２とにより取り付けられている。ボルトは中心穴１２０ｂに固定されているが、蝶ネジ１２２は円弧状の溝１２０ａの任意の位置で留めることができるようになっている。包丁Ｈを研ぐときは、包丁Ｈを包丁研ぎ器本体１２０と支持具１２１とで挟んで蝶ネジ１２４を締めて固定し、蝶ネジ１２２を円弧状の溝１２０ａの任意の位置で締めてキャスタ１２３が設けられている支持部材を包丁研ぎ器本体１２０に固定する。そして、テーブル等の台の上に砥石Ｔを置いて、キャスタ１２３を台の上を転がしながら包丁Ｈを研ぐ。
【発明の開示】
【発明が解決しようとする課題】
【００１０】
特許文献１に記載の包丁研ぎ器によると、包丁の刃先が球体１０２，１０３によって常に一定の角度で当たるので、刃付け角度を一定にして研ぐことができる。したがって、良好な刃先が得られる効果は認められる。しかしながら、刃先をあごの部分から先に向かって滑らせて研ぐので、刃の表面に筋状の傷がつく恐れがある。また、刃先と球体とは接触する部分がごくわずかであるので、繰り返し研ぐと、包丁の刃先の先端部分のみが研がれ、次第に切れ味が悪くなる。
【００１１】
特許文献２に記載の包丁研ぎ器によると、ガイド１１１の下端が突き出ているので、包丁を研ぐときに刃付け角度が一定となり、したがって良好な刃先を得ることはできる。しかしながら、研ぎ角度は手で調節する必要があり、一定に保つのは難しい。さらに、ガイド１１１を常に砥石と接する状態で研ぐ必要があるので、砥石の一部しか利用されず、砥石の研磨面が、ガイド１１１によって傷つく恐れもある。また、研ぐときには包丁をスライドさせるようになっているが、スライド範囲を規制する部材が格別に設けられていないので、包丁が砥石の外に飛び出し、危険もある。
【００１２】
特許文献３に記載の包丁研ぎ器によると、包丁を研ぐときに、刃付け角度を一定に保つことができるばかりでなく、キャスタ１２３付き支持部材を円弧溝１２０ａの任意の位置で固定できるので、研ぎ角度も一定に保つことができる。したがって、優れた刃先を得ることができる。しかしながら、問題点も認められる。例えば、１個のキャスタ１２３では支持部材が横向きに滑りやすく、包丁をスライドさせる方向が不安定になり、研ぎ角度がぶれる恐れがある。さらには、研ぐ方向とは逆の方向に包丁を戻すときには、包丁の刃先を浮かして移動するが、このとき１個の車輪１２３で全体を支えるようになっているので、不安定になりやすい。また、支持部材の移動方向に対してストッパのような規制部材が設けられていないので、研ぐとき包丁が砥石の外に飛び出す恐れもあり、危険でもある。
【００１３】
本発明は、上記のような従来の問題に鑑みてなされたものであって、刃付け角度と研ぎ角度を共に一定に保って、かつ、包丁をみねに向かう方向にスライド的に滑らせるときのみ研ぐことができ、素人が研いでも、熟練者が手動で研いだような優れた刃先を得ることができる、安価で安全な、包丁研ぎ器を提供することを目的としている。
【課題を解決するための手段】
【００１４】
本発明は、上記目的を達成するために、刃付け角度と研ぎ角度が所定の角度に保持されるように、包丁の柄を固定するホルダはホルダ受けに支持させる。そして、ホルダ受けは砥石と平行にスライド可能にスライドフレームに取り付けられ、スライドフレームは砥石と接近する方向と離間する方向にスライド可能にベースフレームに取り付けられるように構成される。また、ホルダはホルダ受に設けられているコイルスプリングに支持されて、上方向に付勢されるよう構成される。
【００１５】
このようにして、請求項１に記載の発明は、砥石が取り付けられる砥石支持部材と、該砥石支持部材に対して平行を保って接近する方向と離間する方向とにスライド可能なスライドフレームと、前記砥石支持部材に対して平行方向にスライド可能なホルダ受と、研磨される包丁の柄が固定的に取り付けられるようになっているホルダとからなり、前記砥石支持部材はベースフレームに固定的に、前記スライドフレームは前記ベースフレームに、そして前記ホルダ受は前記スライドフレームにそれぞれスライド可能に設けられていると共に、前記ホルダは前記ホルダ受に着脱自在に設けられる包丁研ぎ器であって、前記ホルダに研磨される包丁を、その柄を取り付けて固定すると、前記砥石支持部材に取り付けられる砥石の研磨面と研磨される包丁の刃の面がなす刃付け角度と、前記砥石の長手方向と研磨される包丁の長手方向がなす研ぎ角度は所定の角度になると共に、前記スライドフレームを所定位置にすると、研磨される包丁の刃渡りの所定位置が前記砥石の研磨面に位置するように構成される。そして、請求項２に記載の発明は、請求項１に記載の研ぎ器において、前記スライドフレームの両端部には前記ホルダの移動を規制するストッパが設けられているように構成され、請求項３に記載の発明は、請求項１または２に記載の研ぎ器において、前記刃付け角度は、前記ホルダにゴム等の高摩擦係数の材質から構成されている所定角度付きのパッドを介在させて研磨される包丁の柄を取り付けることにより、所定角度になるように構成される。
【００１６】
請求項４に記載の発明は、請求項１〜３のいずれかの項に記載の研ぎ器において、前記ホルダ受の上面には複数個のガイド穴が垂直方向に形成され、前記ホルダの下面に設けられている２本のガイドピンが、前記複数個のガイド穴の選択されたガイド穴に挿入されることにより、前記ホルダが前記ホルダ受に取り付けられると共に、前記研ぎ角度が決まるように構成される。また、請求項５に記載の発明は、請求項４に記載の研ぎ器において、前記複数個のガイド穴は、平面的に見て正方形の頂点位置に配置された４個のガイド穴で、前記ホルダの２本のガイドピンは、前記正方形の任意の対角線上に位置する２個の前記ガイド穴に挿入され、それによって前記研ぎ角度は実質的に４５度になるように構成される。そして、請求項６に記載の発明は、請求項４または５に記載の研ぎ器において、前記複数個のガイド穴の所定の穴にはコイルスプリングが設けられ、前記ホルダの下面に設けられている２本のガイドピンは、前記コイルスプリングに支持されて、前記ホルダが前記ホルダ受から浮き上がるように付勢されて構成される。
【発明の効果】
【００１７】
以上のように、本発明による包丁研ぎ器は、研ぐときに、常に砥石に対して刃付け角度と研ぎ角度が一定に保たれる。このため、素人が研いでも、熟練者が手動で研いだような優れた刃先を得ることができる。また、包丁研ぎ器自体がシンプルに構成されているため、安価で提供できる。
【００１８】
そして、請求項２に記載の発明によれば、ストッパによって、ホルダ受がスライドされる長さが規制されるので、包丁が砥石から飛び出る等の危険もなく安全である。また、請求項３に記載の発明によれば、包丁の柄は摩擦係数の高いパットを介してホルダに取り付けられるので、フラットな柄だけでなく丸みを帯びた柄等、色々な形状の柄であっても、滑らずにしっかりとホルダに固定される。このため、刃付け角度を、例えば一般的な包丁の刃付け角度として最適な１５度に、保持できる。
【００１９】
請求項４に記載の発明によれば、ホルダの下面に設けられている２本のガイドピンが、ホルダ受の上面に設けられた複数個のガイド穴のうち、選択された２つのガイド穴に挿入されて、任意の研ぎ角度が設定でき、請求項５に記載の発明によれば、最適な包丁の研ぎ角度である、約４５度を保持することができる。さらに、請求項５に記載の発明によれば、正方形の任意の対角線上に位置する２個の前記ガイド穴にホルダのガイドピンを差し込めるので、ホルダはホルダ受に対して異なる２つの位置で差し込むことができる。これによって、後で説明するように、両刃の刃物であっても簡単に研ぐことができる。
【００２０】
そして、請求項６に記載の発明によれば、ホルダはホルダ受に設けられているコイルスプリングによって、若干浮き気味に支持されるので、通常は包丁の刃先は砥石の研磨面にわずかに触れる程度となり、包丁に上から力を加えたときのみ、刃先を砥石の研磨面にしっかりと押しつけることができる。このため、包丁を砥石の長手方向の前後にスライドさせる場合、包丁をみね方向にスライドさせるときのみ、包丁に上から力を加えるようにすると、常に包丁をみね方向でのみ研ぐことができる。このため、最良の刃先が得られる。
【発明を実施するための最良の形態】
【００２１】
以下、本発明の実施の形態を説明する。図１は、本発明の実施の形態に係る包丁研ぎ器を示す斜視図である。包丁研ぎ器は、図１に示されているように概略的には、全体のベースとなるベースフレーム１、ベースフレーム１上に矢印Ａ方向にスライド自在に設けられているスライドフレーム１０、スライドフレーム１０に矢印Ｂ方向にスライド自在に設けられているホルダ受２０、ホルダ受２０に支持されているホルダ３０等から構成されている。
【００２２】
ベースフレーム１は、包丁研ぎ器全体のベースであり、高さの低い平たい、略直方体形状を呈している。そして、その下部には、複数個のゴム足５、５、…が設けられている。ベースフレーム１は、ゴム足５、５、…で支持されるようになっているので、包丁を研ぐときに作業台等に置くだけで妄りに動くようなことはない。このように構成されているベースフレーム１の前方の上面には、比較的面積が広く平面形状が略正方形を呈するテーブル部１ａが設けられ、このテーブル部１ａの後方には該テーブル部１ａよりもわずかに高い平面形状が長方形の、台状の砥石支持部材１ｂが設けられている。砥石支持部材１ｂは、所定形状の砥石が載置される平板部１ｃと、この平板部１ｃの両端から所定高さ立ち上がっているフランジ部１ｄ、１ｄとかならなっている。そして、一方のフランジ部１ｄに砥石を固定するためのアジャスタネジ３，３が取り付けられている。また、一対のスライドシャフト２，２が、テーブル部１ａの下に、砥石支持部材１ｂの長手方向と直交する方向に、取り付けられている。
【００２３】
スライドフレーム１０は、前記した砥石支持部材１ｂの長手方向の長さとほぼ等しい、細長い直方体状を呈している。スライドフレーム１０の基材である板部材１１の下部には、その両端に、一対のスライダ１２，１２が取り付けられている。スライダ１２は、図２に示されているように、直方体状を呈している。スライダ１２には、スライダ１２を横切る形で貫通孔１２ａが明けられ、この貫通孔１２ａにスライドシャフト２が通されている。また、スライダ１２には、板部材１１に固着される接合面１２ｃの隣に、浅い段部１２ｂが設けられているので、板部材１１と段部１２ｂとの間に隙間が形成される。ベースフレーム１のテーブル部１ａの一部は、この隙間に通されている。これにより、スライドフレーム１０は砥石支持部材１ｂと平行を保った状態でテーブル部１ａ上を、砥石支持部材１ｂに接近する方向と離間する方向とに滑らかにスライドさせることができる。このように構成されている板部材１１の両端部からは一対のストッパ１３，１３が立ち上がっていて、それら一対のストッパ１３，１３には、上下方向に所定の間隔をおいて２本のガイド棒１４、１４が取り付けられている。これらのガイド棒１４、１４により、詳しくは後述するホルダ受２０がガイドされる。
【００２４】
次に、図３によってホルダ受２０を説明する。図３の（ア）は、ホルダ受２０の斜視図であり、その（イ）は上面図、その（ウ）は正面図である。図３の（ア）に示されているように、ホルダ受２０は、略立方体を呈している。そして、その正面、図１に関していえば側面には図３の（ウ）に示されているように、２個の貫通孔２０ａ，２０ａが縦に並んで平行に明けられている。これらの貫通孔２０ａ、２０ａに、スライドフレーム１０に設けられているスライドシャフト１４，１４が通されている。これにより、ホルダ受２０は、スライドフレーム１０上を一定の姿勢を保ってスライドシャフト１４，１４にガイドされて滑らかにスライドさせることができる。ホルダ受２０の上面の四隅には、図３の（イ）に示されているように、４個の深めの穴２０ｂ、２０ｂ’、２０ｃ、２０ｃ’が垂直に明けられている。そして、４個の深めの穴２０ｂ、２０ｂ’、２０ｃ、２０ｃ’のうち、２個並んだ穴２０ｂ、２０ｂ’には、図３の（ウ）に示されているように、コイルスプリング２１，２１が設けられている。
【００２５】
次に、ホルダ３０について説明する。図４の（ア）は、ホルダ３０の斜視図である。ホルダ３０は、板材から曲げ加工され上壁３１ａと垂直壁３１ｂと下壁３１ｃとから側面形状が略コの字形を呈するように構成されている。そして、その下壁３１ｃには、２本のガイドピン３２，３２が垂直方向に設けられ、その上壁３１ａには２個の穴が開けられ、タップ加工されてネジ穴３１ｄ、３１ｄが設けられている。これらのねじ穴３１ｄ、３１ｄにアジャスタネジ３４、３４が螺合している。アジャスタネジ３４、３４のネジ部の上部にはつまみ部が設けられ、ネジ部の先端部はホルダ３０の上壁３１ａを貫通してゴム材のキャップ３６，３６が被せられている。ホルダ３０の下壁３１ｃの上面には、パット３３が固着されている。パット３３は、ゴム材で構成され、図４の（イ）の側面図に示されているように、上面が水平面に対して１５度の傾斜面となるように形成されている。換言すると、全体として略楔状を呈するように形成され、傾斜面の途中には横方向に切り込み３３ａが設けられている。
【００２６】
ホルダ３０は、ホルダ受２０に支持されるが、ホルダ受２０の上面に明けられた４個の穴２０ｂ、２０ｂ’、２０ｃ、２０ｃ’のうち、対角に位置する一対の個の穴２０ｂ、２０ｃに、または他の一対の穴２０ｂ’、２０ｃ’にガイドピン３２，３２が差し込まれるようになっている。ところで、上面から見ると、４つのガイド穴２０ｂ、２０ｂ’、２０ｃ、２０ｃ’が構成する正方形の一辺、すなわち、ガイド穴２０ｃとガイド穴２０ｃ’とを結ぶ一辺は、砥石支持部材１ｂの長手方向と平行に配置される。従って、一対の穴２０ｂ、２０ｃを結ぶ線分、または他の一対の穴２０ｂ’、２０ｃ’を結ぶ線分は、砥石支持部材１ｂの長手方向に対して４５度傾き、ホルダ３０は砥石支持部材１ｂの長手方向に対して４５度傾いて、ホルダ受２０に支持される。このため、後述するように砥石を砥石支持部材１ｂに固定して、包丁の柄をホルダ３０に固定すると、砥石の長手方向と包丁の長手方向がなす角度、すなわち研ぎ角度が４５度に保持される。
【００２７】
図５には、ガイドピン３２，３２が、一対の穴２０ｂ、２０ｃに差し込まれてホルダ受３０にホルダ２０が支持されている状態が、模式的に示されている。ガイドピン３２、３２の径よりも穴２０ｂ、２０ｂ’、２０ｃ、２０ｃ’の内径がわずかに大きいので、１本のガイドピン３２が、穴２０ｂに挿入されているコイルスプリング２１によって押し上げられて、ホルダ３０はホルダ受２０に対してわずかに傾きながら支持される。図５には、ホルダ３０が左方に傾いて、ホルダ受２０に支持されている様子が示されている。そして、コイルスプリングが設けられている穴２０ｂ、２０ｂ’は、穴２０ｃ、２０ｃ’よりも砥石支持部１ｂから離れて配置されているため、ホルダ３０は、砥石支持部１ｂに向かって傾くことになる。ホルダ３０を上方から押し込むと、スプリング２１が縮んでホルダ３０のガイドピン３２、３２がホルダ受２０の穴２０ｂ、２０ｃに深く差し込まれる。このようにすると、ホルダ３０はホルダ受２０に対してほぼ水平に支持される。このように、ホルダ３０の傾きの状態がわずかに変わるので、後で説明するように、砥石の研磨面と包丁の刃先とが接する状態を調節できる。
【００２８】
次に、本発明の実施の形態に係る包丁研ぎ器の作用について説明する。研ぐ準備をする。すなわち、砥石Ｔをベースフレーム１の砥石支持部材１ｂに載せて、アジャスタネジ３，３を締める。これにより、砥石Ｔは砥石支持部材１ｂに固定される。次に、図６の（ア）に示されているように、包丁Ｈの柄ＨＨをホルダ３０の上壁３１ａと下壁３１ｃとの間に差し込んで、アジャスタネジ３４，３４を締める。そうすると、包丁Ｈの柄ＨＨはゴム材のパット３３とキャップ３６，３６とによって、ホルダ３０に固定される。ところで、パット３３には切り込み３３ａが設けられているので、包丁Ｈの柄ＨＨは、丸みを帯びていてもしっかりとホルダ３０にホールドされる。続いてホルダ３０をホルダ受２０に載せる。図６の（ア）は、本発明の実施の形態に係る包丁研ぎ器の使用状態を水平方向から見て模式的に示す図であり、包丁Ｈの刃先ＨＳが刃付け角度１５度で砥石Ｔの研磨面と接している様子が示されている。また、図６の（イ）は、本発明の実施の形態に係る包丁研ぎ器の使用状態を上方から模式的に示す図であり、砥石Ｔの長手方向と包丁Ｈの長手方向のなす角度、すなわち研ぎ角度が４５度になっている様子が示されている。
【００２９】
従来周知のように、適量の水を砥石Ｔに垂らして、砥石Ｔの研磨面を十分にぬらす。そうして、包丁Ｈが取り付けられているホルダ受２０と、このホルダ受２０に支持されているホルダ３０の全体を、スライドフレーム１０に沿ってスライドさせる。これにより、刃付け角度を１５度、研ぎ角度を４５度の一定に保ちながら包丁Ｈを研ぐことができる。なお、包丁Ｈを上から押さえると、ホルダ３０が押される。そうすると、ホルダ３０がホルダ受２０に押し込まれて、ホルダ３０が水平となるので、適度な力がかかりながら、包丁Ｈの刃先ＨＳが刃付け角度１５度で直線上に砥石の研磨面に接する。そして、包丁を押さえないと、すでに説明したように、ホルダ３０は、ホルダ受２０に設けられているスプリング２１に押し上げられてわずかに傾くので、包丁の刃先は砥石の研磨面とわずかに点で接するのみとなる。このような状態の時には、刃先ＨＳは砥石Ｔの研磨面に対して、ほぼ浮いた状態となり、力が加えられていない。したがって、包丁Ｈを図６の（イ）に示されている矢印ａの方向にスライドさせるときには、包丁Ｈを上から適度な力で押さえ、矢印ａ’の方向にスライドさせるときには押さえない。そのようにすると、包丁ＨはみねＨＭ方向にスライドさせるときのみ研がれることになる。
【００３０】
上記のようにして研ぐとき、図６の（イ）に示されている矢印ｂの方向にスライドフレーム１０をスライドさせて、スライドフレーム１０を任意の位置で留める。これにより、任意の位置で研ぐことができ、切っ先からあごまで、包丁を一様に研ぐことができる。
【００３１】
図６の（ウ）に示されているように、包丁Ｈの柄ＨＨをホルダ３０から外して包丁Ｈを裏返し、再び包丁の柄をホルダ３０に逆方向に取り付け、そしてホルダ３０をホルダ受２０に対して９０度回転させて、ガイドピン３２、３２を、今度は穴２０ｂ’、２０ｃ’に差し込む。このようにすると、包丁の裏側も研ぐことができるので、片刃包丁のみでなく、両刃包丁も簡単に研ぐことができる。
【００３２】
本実施の形態に係る包丁研ぎ器については、色々な変形が可能である。例えば、包丁の柄を固定するホルダ３０については、パットの変形、アジャスタネジの変形等が可能である。まず、パットについては、１５度の傾斜面を有するものとして説明したが、色々な角度の傾斜面を有するパッドを複数個用意しておき、パッドを適宜交換するように実施することもできる。このようにすると、任意の刃付け角度で研ぐことができる。また、パッドをウレタン等の柔らかい素材で形成しても、同様に任意の刃付け角度で研ぐことができる。次に、アジャスタネジが螺合するねじ穴３１ｄ、３１ｄについては、単にタップ加工で形成されるように説明したが、タップ加工の前にバーリング加工を施しても良く、またねじ穴３１ｄ、３１ｄに代えてナットを取り付けても良い。このようにすると、アジャスタネジ３４、３４をより強めにねじ込むことができて、包丁の柄をしっかりと固定することが可能となる。また、アジャスタネジに代えて、ホルダ３０にゴム製の幅広のバンドを取り付けて、そのバンドを包丁の柄に巻き付けて、包丁の柄をホルダ３０に固定させることも可能である。
【００３３】
他の部材についても様々な変形が可能である。例えば、ベースフレーム１に対してスライドフレーム１０をスライドさせる機構については、スライドシャフトに代えて、スライドレールを採用することが可能である。また、砥石に関しては、後から包丁研ぎ器に取り付けるように説明したが、砥石が包丁研ぎ器に一体となって固着されていてもよい。また、ホルダ受の上面に設けられている穴についても変形が可能である。例えば、４個の穴のうち２個の穴にのみコアスプリングを設けるように説明したが、全ての穴に設けてもよい。さらに、穴の数を５個以上設けることもできる。このようにすると、ガイドピンを差し込む穴を色々選択できるので、色々な研ぎ角度で包丁を研ぐことができる。
【産業上の利用可能性】
【００３４】
本発明に係る包丁研ぎ器は、素人でも、熟練者と同じように刃付け角度および研ぎ角度を一定にして研ぐことができ、安価で安全であるので、家庭用の包丁研ぎ器として有用である。
【図面の簡単な説明】
【００３５】
【図１】本発明の実施の形態に係る包丁研ぎ器を示す斜視図である。
【図２】本発明の実施の係る包丁研ぎ器の部材である、スライドフレームに取り付けられるスライダを示す斜視図である。
【図３】本実施の形態に係る包丁研ぎ器の部材である、ホルダ受を説明する図であり、その（ア）は、ホルダ受の斜視図、その（イ）はホルダ受の上面図、その（ウ）はホルダ受の正面図である。
【図４】本実施の形態に係る包丁研ぎ器の部材である、ホルダを説明する図であり、その（ア）は、ホルダの斜視図であり、その（イ）はホルダに取り付けられているパッドの斜視図である。
【図５】本実施の形態に係る包丁研ぎ器の部材である、ホルダとホルダ受の取り付け状態を模式的に説明する図である。
【図６】本発明の実施の形態に係る包丁研ぎ器の使用状態を説明する図であり、その（ア）は、使用状態を水平方向から示して模式的に説明する図であり、その（イ）は、使用状態を上方から示して模式的に説明する図であり、その（ウ）は、包丁の裏を研ぐときの使用状態を、上方から示して模式的に説明する図である。
【図７】特許文献１に記載されている包丁研ぎ器の断面図である。
【図８】特許文献２に記載されている包丁研ぎ器を示す図であり、その（ア）は、特許文献２に記載されている包丁研ぎ器を模式的に示す図であり、その（イ）は、特許文献２に記載されている包丁研ぎ器の使用方法を説明する図である。
【図９】特許文献３に記載されている包丁研ぎ器とその使用方法を模式的に示す図である。
【符号の説明】
【００３６】
１    ベースフレーム  １ａ テーブル部
１ｂ  砥石支持部材
２    スライドシャフト １０  スライドフレーム
１４  スライドシャフト ２０  ホルダ受
３０  ホルダ
【図１】
2008260095.tif 000003
【図２】
2008260095.tif 000004
【図３】
2008260095.tif 000005
【図４】
2008260095.tif 000006
【図５】
2008260095.tif 000007
【図６】
2008260095.tif 000008
【図７】
2008260095.tif 000009
【図８】
2008260095.tif 000010
【図９】
2008260095.tif 000011